(57)【要約】【課題】  室内の空気のサーキュレーションを確保して適切な温度調整を行うことができる空気調和機および空気調和システムを提供する。【解決手段】  空気調和機は、室内機２ａと、輻射パネル４ａとを備える。室内機２ａは、室内Ｒの空気を吸込む吸込み口２４ａと、温度調整された空気を吹き出す吹出し口２５ａとを有する。輻射パネル４ａは、吹出し口２５ａから吹き出された空気が送られる圧力発生空間ＰＳを有し、室内Ｒの天井面ＣＬ近傍に配置され、空気の吹出しと輻射とによって室内の温度調整を行う。そして、吸込み口２４ａは、下方向から空気を吸込むように下向きに設けられる。【選択図】      図４
2005140384.tif 000002
【特許請求の範囲】
【請求項１】
室内（Ｒ）の空気を吸込む吸込み口（２４ａ−２４ｅ）と、温度調整された前記空気を吹き出す吹出し口（２５ａ−２５ｅ）とを有する送風装置（２ａ−２ｅ）と、
前記吹出し口（２５ａ−２５ｅ）から吹き出された前記空気が送られる内部空間（ＰＳ）を有し、前記室内（Ｒ）の天井面（ＣＬ）近傍に配置され、前記空気の吹出しと輻射とによって前記室内（Ｒ）の温度調整を行う輻射パネル（４ａ）と、
を備え、
前記吸込み口（２４ａ−２４ｅ）は、下方向から空気を吸込むように下向きに設けられる、
空気調和機（１００）。
【請求項２】
前記吸込み口（２４ａ−２４ｄ）は、前記輻射パネル（４ａ）より下方に配置される、
請求項１に記載の空気調和機（１００）。
【請求項３】
前記吸込み口（２４ａ−２４ｅ）は、前記吹出し口（２５ａ−２５ｅ）よりも下方に配置される、
請求項１または２に記載の空気調和機（１００）。
【請求項４】
前記吸込み口（２４ａ，２４ｂ）は、前記室内（Ｒ）の下部から前記空気を吸込むように設けられる、
請求項１から３のいずれかに記載の空気調和機（１００）。
【請求項５】
前記吸込み口（２４ｂ）は、前記室内（Ｒ）の下部に配置される、
請求項４に記載の空気調和機（１００）。
【請求項６】
前記吸込み口（２４ａ）は、前記室内（Ｒ）の下部から前記空気を搬送する搬送経路（ＳＰ１）を介して、前記室内（Ｒ）の下部から前記空気を吸込む、
請求項４に記載の空気調和機（１００）。
【請求項７】
室内（Ｒ）の空気を吸込む吸込み口（２４ａ）と、温度調整された前記空気を吹き出す吹出し口（２５ａ）とを有する送風装置（２ａ）と、
前記吹出し口（２５ａ）から吹き出された前記空気が送られる内部空間（ＰＳ）を有し、前記室内（Ｒ）の天井面（ＣＬ）近傍に配置され、前記空気の吹出しと輻射とによって前記室内（Ｒ）の温度調整を行う輻射パネル（４ａ）と、
前記室内（Ｒ）に隣接し且つ前記室内（Ｒ）の下部と連通する搬送経路（ＳＰ１）と、
を備え、
前記吸込み口（２４ａ）は、前記搬送経路（ＳＰ１）の上部に対して下向きに設けられ、前記搬送経路（ＳＰ１）の上部から空気を吸込む、
空気調和システム（Ｓ１）。
【発明の詳細な説明】
【技術分野】
【０００１】
本発明は、空気調和機および空気調和システムに関する。
【背景技術】
【０００２】
従来、温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【特許文献１】特開２００１−４１４８８号公報
【発明の開示】
【発明が解決しようとする課題】
【０００３】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
そこで、本願発明者は、特願２００３−０４２８０５号特許出願明細書に記載された輻射パネル構造体を案出している。この輻射パネル構造体は、温度調整された空気によって大気圧より大きな圧力が生じる圧力発生空間を有し、空気の吹出しと輻射とによって室内の温度調整を行う。これにより、輻射と穏やかな空気の吹出しとによって、ドラフトを抑えた穏やかな温度調整を行うことができる。
【０００４】
ところで、室内の温度調整を適切に行うためには、室内の空気を循環させるサーキュレーションを確保することが重要である。すなわち、冷たい空気は室内の下方に滞留し易く、暖かい空気は室内の上方に対流し易い。従って、室内の空気のサーキュレーションを確保することによって、室内の温度分布を均等にして適切な温度調整を行うことが望ましい。
【０００５】
本発明の課題は、室内の空気のサーキュレーションを確保して適切な温度調整を行うことができる空気調和機および空気調和システムを提供することにある。
【課題を解決するための手段】
【０００６】
請求項１に記載の空気調和機は、送風装置と、輻射パネルとを備える。送風装置は、室内の空気を吸込む吸込み口と、温度調整された空気を吹き出す吹出し口とを有する。輻射パネルは、吹出し口から吹き出された空気が送られる内部空間を有し、室内の天井面近傍に配置され、空気の吹出しと輻射とによって室内の温度調整を行う。そして、吸込み口は、下方向から空気を吸込むように下向きに設けられる。
【０００７】
この空気調和機では、送風装置は、吸い込み口によって下方向から空気を吸込むことができる。このため、天井面近傍の輻射パネルから室内へと吹き出された空気が室内を循環して送風装置へと吸込まれる。これにより、この空気調和機では、室内の空気のサーキュレーションを確保して適切な温度調整を行うことができる
請求項２に記載の空気調和機は、請求項１に記載の空気調和機であって、吸込み口は、輻射パネルより下方に配置される。
【０００８】
この空気調和機では、送風装置は、輻射パネルより低い位置から空気を吸込むことができる。このため、この空気調和機では、より効果的なサーキュレーションを確保することができる。
請求項３に記載の空気調和機は、請求項１または２に記載の空気調和機であって、吸込み口は、吹出し口よりも下方に配置される。
【０００９】
この空気調和機では、下方から吸込まれた室内の空気が上方へと吹き出されて、天井面近傍の輻射パネルから再び室内へと吹き出される。このため、この空気調和機では、より効果的なサーキュレーションを確保することができる。
請求項４に記載の空気調和機は、請求項１から３のいずれかに記載の空気調和機であって、吸込み口は、室内の下部から空気を吸込むように設けられる。
【００１０】
この空気調和機では、室内の下部から空気が吸込まれるため、天井面近傍からの空気の吹出しと室内の下部からの空気の吸い込みとが行われる。このため、この空気調和機では、より効果的なサーキュレーションを確保することができる。
請求項５に記載の空気調和機は、請求項４に記載の空気調和機であって、吸込み口は、室内の下部に配置される。
【００１１】
この空気調和機では、吸込み口は、室内の下部に配置される。従って、天井面近傍からの空気の吹出しと室内の下部からの空気の吸い込みとが行われる。このため、この空気調和機では、より効果的なサーキュレーションを確保することができる。
請求項６に記載の空気調和機は、請求項４に記載の空気調和機であって、吸込み口は、室内の下部から空気を搬送する搬送経路を介して、室内の下部から空気を吸込む。
【００１２】
この空気調和機では、搬送経路を介して室内の下部から空気が吸込まれる。従って、天井面近傍からの空気の吹出しと室内の下部からの空気の吸い込みとが行われる。このため、この空気調和機では、より効果的なサーキュレーションを確保することができる。
請求項７に記載の空気調和システムは、送風装置と、輻射パネルと、搬送装置とを備える。送風装置は、室内の空気を吸込む吸込み口と、温度調整された空気を吹き出す吹出し口とを有する。輻射パネルは、吹出し口から吹き出された空気が送られる内部空間を有し、室内の天井面近傍に配置され、空気の吹出しと輻射とによって室内の温度調整を行う。搬送経路は、室内に隣接し且つ室内の下部と連通する。吸込み口は、搬送経路の上部に対して下向きに設けられ、搬送経路の上部から空気を吸込む。
【００１３】
この空気調和システムでは、送風装置は、搬送経路を介して室内の下部から空気を吸込むことができる。そして、送風装置に吸込まれた空気は、輻射パネルへと送られ、天井面近傍から再び室内へと吹き出される。従って、この空気調和システムでは、天井面近傍からの空気の吹出しと室内の下部からの空気の吸い込みとが行われる。このため、この空気調和システムでは、より効果的なサーキュレーションを確保することができる。
【発明の効果】
【００１４】
請求項１に記載の空気調和機では、送風装置は、吸い込み口によって下方向から空気を吸込むことができる。このため、天井面近傍の輻射パネルから室内へと吹き出された空気が室内を循環して送風装置へと吸込まれる。これにより、この空気調和機では、室内の空気のサーキュレーションを確保して適切な温度調整を行うことができる
請求項２に記載の空気調和機では、送風装置は、輻射パネルより低い位置から空気を吸込むことができる。このため、この空気調和機では、より効果的なサーキュレーションを確保することができる。
【００１５】
請求項３に記載の空気調和機では、下方から吸込まれた室内の空気が上方へと吹き出されて、天井面近傍の輻射パネルから再び室内へと吹き出される。このため、この空気調和機では、より効果的なサーキュレーションを確保することができる。
請求項４に記載の空気調和機では、室内の下部から空気が吸込まれるため、天井面近傍からの空気の吹出しと室内の下部からの空気の吸い込みとが行われる。このため、この空気調和機では、より効果的なサーキュレーションを確保することができる。
【００１６】
請求項５に記載の空気調和機では、吸込み口は、室内の下部に配置される。従って、天井面近傍からの空気の吹出しと室内の下部からの空気の吸い込みとが行われる。このため、この空気調和機では、より効果的なサーキュレーションを確保することができる。
請求項６に記載の空気調和機では、搬送経路を介して室内の下部から空気が吸込まれる。従って、天井面近傍からの空気の吹出しと室内の下部からの空気の吸い込みとが行われる。このため、この空気調和機では、より効果的なサーキュレーションを確保することができる。
【００１７】
請求項７に記載の空気調和システムでは、送風装置は、搬送経路を介して室内の下部から空気を吸込むことができる。そして、送風装置に吸込まれた空気は、輻射パネルへと送られ、天井面近傍から再び室内へと吹き出される。従って、この空気調和システムでは、天井面近傍からの空気の吹出しと室内の下部からの空気の吸い込みとが行われる。このため、この空気調和システムでは、より効果的なサーキュレーションを確保することができる。
【発明を実施するための最良の形態】
【００１８】
＜第１実施形態＞
［全体構成］
本発明の第１実施形態にかかる空気調和システムＳ1を図１および図２に示す。図１は、空気調和システムＳ1および空気調和システムＳ1が配置された室内Ｒの側面図であり、図２は、図１におけるII−II断面図である。この空気調和システムＳ1は、搬送経路ＳＰ１と空気調和機１００とを備えている。
【００１９】
また、室内Ｒには寝具Ｂが備えられている。寝具Ｂは、例えば、ベッドであり寝室などの室内Ｒに配置されている。空気調和機１００は、寝具Ｂが配置された室内Ｒの温度調整を行う。
［搬送経路］
搬送経路ＳＰ１は、図１に示すように、室内Ｒに隣接し且つ室内Ｒの下部と連通している空間である。搬送経路ＳＰ１は、室内Ｒの側方に隣接し、室内機２ａを収納する。室内Ｒと搬送経路ＳＰ１とは仕切り部材Ｗによって仕切られている。仕切り部材Ｗは、室内Ｒの床面Ｆから天井面ＣＬまでに亘って設けられているが、室内Ｒと搬送経路ＳＰ１との間で空気の出入りが可能となっている。搬送経路ＳＰ１は、室内Ｒの下部から空気を取り込んで室内機２ａへと搬送することができる。
【００２０】
なお、搬送経路ＳＰ１は、空気調和のための空気を搬送する専用の空間であってもよく、また、室内Ｒの側面に設けられるクローゼットなどの収納空間を利用するものであってもよい。
［空気調和機］
空気調和機１００は、輻射パネル構造体１ａと室内機２ａと室外機３（図８参照）とを備えており、輻射と、温度調整された空気の吹き出しとによって冷暖房等の室内Ｒの空気調和を行うことができる。
【００２１】
［輻射パネル構造体］
輻射パネル構造体１ａは、図１に示すように、天井面ＣＬの近傍に天井面ＣＬに沿って配置され、温度調整された空気の温度を利用した輻射と、温度調整された空気の吹出しとによって冷暖房等の空気調和を行う。輻射パネル構造体１ａは、図１および図２に示すように、全体として薄い板状の外形を有しており、平面的な形状となっている。輻射パネル構造体１ａの側面の一つは、仕切り部材Ｗに近接しており、搬送経路ＳＰ１内の室内機２ａと接続されている。輻射パネル構造体１ａは、輻射パネル４ａと外部フレーム５ａとを有している。
【００２２】
〔輻射パネル〕
輻射パネル４ａは、輻射と空気の吹出しとを行う部分である。輻射パネル４ａの外観図を図３に示す。図３（ａ）は輻射パネル４ａの平面図であり、図３（ｂ）は輻射パネル４ａの側面図である。なお、図３（ａ）の輻射パネル４ａの平面図は、天井面ＣＬに設置された輻射パネル４ａを下方から見上げた図である。輻射パネル４ａは、薄い板状の外形であり平坦な形状を有している。輻射パネル４ａは、室内Ｒの天井面ＣＬに近接して配置されており、平面視において長方形の外形を有する。輻射パネル４ａは、寝具Ｂを平面的に略覆う大きさを有しており、寝具Ｂの直上に配置される。輻射パネル４ａは、袋部４０ａと内部フレーム４１ａ（図５および図６参照）と断熱材４２とを有する。
【００２３】
〈袋部〉
袋部４０ａは、天井面ＣＬの近傍に天井面ＣＬに略平行に寝具Ｂの直上に配置されており、寝具Ｂを平面的に略覆う大きさを有している。袋部４０ａは、織布や不織布等の繊維系材料から袋状に形成され、図４に示すように、圧力発生空間ＰＳ（内部空間）を内部に構成する。なお、図４は、袋部４０ａの側面断面図を示しているが、内部フレーム４１ａ等は省略している。圧力発生空間ＰＳには、室内機２ａから温度調整された空気が送られることによって、大気圧より大きな圧力が生じる。また、袋部４０ａを形成する繊維系材料は、柔軟且つ空気が透過可能であると共に約０．９の輻射率を有する。このため、圧力発生空間ＰＳに送られた空気は、袋部４０ａの繊維の目の隙間から穏やかに吹出される。また、圧力発生空間ＰＳに送られた空気によって袋部４０ａの温度が調整されることにより、袋部４０ａから輻射が生じる。これにより、穏やかな空気の吹出しと輻射とによって室内Ｒの温度調整を行うことができる。なお、繊維系材料は伸縮性を有している。
【００２４】
袋部４０ａは、平坦な薄型の板状形状を有し、上面４３、下面４４および側面４５によって構成される。
袋部４０ａの上面４３は、室内Ｒの天井面ＣＬに沿って天井面ＣＬに略平行に配置されている。また、袋部４０ａの上面４３は、天井面ＣＬに近接して配置される。
袋部４０ａの下面４４は、室内Ｒに面する位置に天井面ＣＬと略平行に配置されている。袋部４０ａの下面４４は、図３（ａ）に示すように、下方の室内Ｒに対して長方形の投影形状を有しており、例えば、室内Ｒに配置される寝具Ｂを平面的に覆う程度の大きさを有している。
【００２５】
袋部４０ａの側面４５は、図３（ｂ）に示すように、それぞれ細長い長方形の形状を有している。袋部４０ａの側面４５からも上面４３や下面４４と同様に空気の吹き出しと輻射とが生じるが、袋部４０ａの側面４５からの空気の吹き出しと輻射とは、外部フレーム５ａによって所望の方向へと集約される。外部フレーム５ａについては、後に詳細に説明する。
【００２６】
また、図３（ａ）に示すように、袋部４０ａの側面４５の一つには、内部フレーム４１ａが挿入される開口である内部フレーム挿入口４６と、内部フレーム挿入口４６を開閉する開閉部４７とが設けられている。開閉部４７は、内部フレーム挿入口４６を開閉するファスナーによって構成される。
さらに、袋部４０ａの側面４５の一つには、空気取入れ口４８が設けられている。空気取入れ口４８は、温度調整された空気を取り入れる部分であり、空気取入れ口４８は、図４に示すように、一端が室内機２ａの吹出し口２５ａに取り付けられたダクト９の他端に接続され、室内機２ａから圧力発生空間ＰＳへと送られる空気が通過する。
【００２７】
〈内部フレーム〉
内部フレーム４１ａは、袋部４０ａの内部に配置され袋部４０ａを上記のような薄い板状の形状に保持する部材である。内部フレーム４１ａの外観図を図５に示す。図５（ａ）は、内部フレーム４１ａの平面図であり、天井面ＣＬ側から内部フレーム４１ａを見た図である。内部フレーム４１ａは、平坦な形状に組み合わされた複数の線状部材Ｌ１−Ｌ６から構成される。複数の線状部材Ｌ１−Ｌ６は、例えば、ステンレスなどの金属や樹脂等の所定の剛性を有する材料によって形成されている。
【００２８】
図５（ａ）に示すように、内部フレーム４１ａの上面５８は、略長方形の外形を有しており、長方形の２つの長辺を構成する２本の第１線状部材Ｌ１と、２本の第１線状部材Ｌ１に亘って設けられる複数の第２線状部材Ｌ２とによって構成されている。複数の第２線状部材Ｌ２のうちの２本は、長方形の短辺を構成し、他の第２線状部材Ｌ２は、長方形の短辺に平行に略等間隔に配置されている。第２線状部材Ｌ２は、第１線状部材Ｌ１の間隔よりも僅かに長く形成されており、このため、第２線状部材Ｌ２の両端は、第１線状部材Ｌ１、すなわち、長方形の長辺から僅かに突出する突出部４１０を形成している。この内部フレーム４１ａの上面５８は、袋部４０ａの上面４３を上記のような形状に保持する。
【００２９】
内部フレーム４１ａの下面５９は、図６に示すように、内部フレーム４１ａの上面５８の外形と同様の大きさの長方形状に組み合わされた第３線状部材Ｌ３と、内部フレーム４１ａの上面５８の外形よりも一回り小さな長方形状に組み合わされた第４線状部材Ｌ４と、第３線状部材Ｌ３と第４線状部材Ｌ４とをつなぐ第５線状部材Ｌ５とによって構成されている。この内部フレーム４１ａの下面５９は、袋部４０ａの下面４４を上記のような形状に保持する。なお、図６は、図５（ｂ）におけるVI−VI断面図である。
【００３０】
また、内部フレーム４１ａの側面５７は、図５（ｂ）に示すように、内部フレーム４１ａの上面５８と下面５９とをつなぐ複数の第６線状部材Ｌ６によって構成されている。この内部フレーム４１ａの側面５７は、袋部４０ａの側面４５を上記のような形状に保持する。
内部フレーム４１ａは、図３（ａ）に示す袋部４０ａの内部フレーム挿入口４６から袋部４０ａの内部へと挿入される。袋部４０ａと内部フレーム４１ａとは、内部フレーム４１ａが袋部４０ａの内部に配置された状態で開閉部４７のファスナーを閉めることにより袋部４０ａに所定のテンションが作用するように寸法が設計されている。
【００３１】
〈断熱材〉
断熱材４２は、図３（ｂ）および図４に示すように、輻射パネル４ａの天井面ＣＬ側に位置する上面、すなわち、袋部４０ａの上面４３に固定されており、圧力発生空間ＰＳの天井面ＣＬ側に設けられている。袋部４０ａの上面４３と天井面ＣＬとの間には、約６ｍｍの隙間が設けられており、断熱材４２は袋部４０ａの上面４３に固定されて、この隙間に面している。断熱材４２は、約５ｍｍの厚さを有するシート状の形状であり、断熱材４２と天井面ＣＬとの間隔は極僅かとなっている。従って、断熱材４２は天井面ＣＬに近接している。断熱材４２は、袋部４０ａの上面４３の略全体を覆っている。
【００３２】
〔外部フレーム〕
外部フレーム５ａは、図２に示すように、外形が長方形の短辺の一つが欠けた形状となるように組み合わされた木製の枠であり、袋部４０ａの外部において輻射パネル４ａの側面、すなわち袋部４０ａの側面４５を囲む。なお、外部フレーム５ａを構成する材料は木に限らず輻射パネル４ａを支持できる所定の剛性を有するものであればよい。外部フレーム５ａは、袋部４０ａの空気取入れ口４８が設けられる側面４５すなわち仕切り部材Ｗに面する側面４５を除く他の全ての側面４５を囲んでいる。従って、外部フレーム５ａは、輻射パネル４ａの室内Ｒに面する側面４５の全体を囲んでいる。外部フレーム５ａは、図１に示すように、上端が天井面ＣＬに隙間なく固定されており、下端は袋部４０ａの下面４４と略同じ高さとなっている。外部フレーム５ａの高さ方向寸法は約６０ｍｍであり、輻射パネル構造体１ａは、非常に薄型な形状となっている。従って、輻射パネル構造体１ａでは、室内Ｒの居住者等へと与える圧迫感が低減されている。なお、袋部４０ａは自重や内圧等によって下面４４が下方へ凸に膨らんだ形状となるが、外部フレーム５ａは、膨らみの基端となる下面４４と側面４５との接続位置と略同じ高さとなっている。
【００３３】
また、外部フレーム５ａは、図７に示すように、内部フレーム４１ａを支持する支持部５０を有する。なお、図７は、図２におけるVII−VII断面図である。支持部５０は、外部フレーム５ａの２つの長辺の両方に設けられている。支持部５０は、外部フレーム５ａの内側に設けられたスリット５１と、スリット５１に設けられる金属製のレール５２とによって構成されている。スリット５１は、外部フレーム５ａの内側のうち天井面ＣＬに近い位置に設けられており、天井面ＣＬに平行に設けられている。内部フレーム４１ａの突出部４１０が、外部フレーム５ａの側方からこの支持部５０に通されて支持部５０に係止することによって、輻射パネル４ａが外部フレーム５ａに支持される。
【００３４】
［室内機］
室内機２ａは、輻射パネル４ａの圧力発生空間ＰＳへと温度調整された空気を送る。室内機２ａは、上述したように、室内Ｒから仕切られた搬送経路ＳＰ１に配置されており、搬送経路ＳＰ１の上部であって、室内Ｒの輻射パネル構造体１ａの近傍に配置される。室内機２ａは、図８に示すように、室内熱交換器２０、室内ファン２１、室内ファンモータ２２、室内機ケーシング２３（図１参照）などを備えている。
【００３５】
室内機ケーシング２３ａは、室内熱交換器２０、室内ファン２１、室内ファンモータ２２等を内部に収納しており、図４に示すように、吸込み口２４ａと吹出し口２５ａとを備えている。
吸込み口２４ａは、室内Ｒから室内機ケーシング２３ａ内へと取り入れられる空気が通る開口である。吸込み口２４ａは、室内機ケーシング２３ａの下面に設けられており、下方から空気を吸込むように下向きに設けられている。吸込み口２４ａは、輻射パネル４ａより下方に配置されており、吹出し口２５ａよりも下方に配置されている。室内機２ａは搬送経路ＳＰ１に配置されており、吸込み口２４ａは、搬送経路ＳＰ１を介して室内Ｒの下部から空気を吸込むように設けられている。搬送経路ＳＰ１としてクローゼット等の収納空間が利用される場合には、室内の空気は、収納空間の隙間から吸込まれて、室内機２ａの吸込み口２４ａから室内機２ａ内へと吸込まれる。
【００３６】
吹出し口２５ａは、吸込み口２４ａよりも上方に設けられており、室内機ケーシング２３ａ内で室内熱交換器２０を通って輻射パネル構造体１ａへと送られる空気が通る開口である。吹出し口２５ａは、輻射パネル構造体１ａの空気取入れ口４８に接続されるダクト９の一端と接続されており、室内機２ａの略水平方向へと空気を吹き出す。
室内熱交換器２０は、図８に示すように、室外熱交換器３０や圧縮機３２等と冷媒配管２６，２７を介して接続されている。室内熱交換器２０は、通過する空気との間で熱交換を行うことによって、空気の温度調整を行う。室内ファン２１は、室内ファンモータ２２によって回転駆動され、室内Ｒから取り込まれ輻射パネル構造体１ａへと送られる空気流を生成する。この空気流は、吸込み口２４ａから室内機ケーシング２３ａの内部に取り込まれ、室内熱交換器２０、吹出し口２５ａおよび空気取入れ口４８を通って輻射パネル４ａの内部の圧力発生空間ＰＳへと到る空気の流れである。
【００３７】
［室外機］
室外機３は、室外に配置され、図８に示すように、アキュムレータ３１、圧縮機３２、四路切換弁３３、電動弁３４、室外ファン３８、室外ファンモータ３９、室外熱交換器３０等を備えている。圧縮機３２、電動弁３４、四路切換弁３３、室外熱交換器３０等は、室内熱交換器２０と共に冷媒回路を構成している。室外ファン３８は、室外ファンモータ３９によって回転駆動され、室外熱交換器３０を通る空気の流れを生成する。
【００３８】
［空気調和機の運転動作］
次に、この空気調和システムＳ１によって室内Ｒの空気調和を行う場合の運転動作について説明する。
冷房運転時には、室内熱交換器２０が、蒸発器として機能して、通過する空気から熱を奪う。図９に示すように、室内ファン２１によって搬送経路ＳＰ１を経て吸込み口２４ａから室内機ケーシング２３ａ内に取り込まれた室内Ｒの空気（実線矢印Ａ４参照）は、室内熱交換器２０を通過する際に熱を奪われて冷却される。
【００３９】
この冷却された空気は、吹出し口２５ａから吹き出され、ダクト９を通って空気取入れ口４８へと送られる（実線矢印Ａ５参照）。この室内機２ａから吹き出された空気は、袋部４０ａ内の圧力発生空間ＰＳへと送られる。空気が圧力発生空間ＰＳに送られると、大気圧より大きな正の静圧が圧力発生空間ＰＳに生じる。すなわち、天井面ＣＬに平行に流れる空気の流れ（実線矢印Ａ１参照）に対して垂直な方向に大気圧より大きな圧力が生じる。このため、冷却された空気が、袋部４０ａの繊維の隙間から押し出され、室内Ｒへと穏やかに吹き出される（実線矢印Ａ２参照）。
【００４０】
また、袋部４０ａが冷却された空気と接触することによって、袋部４０ａが冷却される。このため、袋部４０ａによる冷輻射が生じる（破線矢印Ａ３参照）。
これらの穏やかな空気の吹出しや輻射による冷気は、袋部４０ａの直下に位置する寝具Ｂに到達し、寝具Ｂの周辺の冷房が行われる。
また、室内Ｒの空気は、室内Ｒの下部から搬送経路ＳＰ１内へと吸込まれ、室内機２ａの吸込み口２４ａから再び室内機２ａ内へと吸込まれる。
【００４１】
このように、この空気調和システムＳ１では、袋部４０ａの繊維の隙間からの穏やかな吹き出しと、袋部４０ａの冷輻射とによって、室内Ｒの冷房が行われる。
暖房運転時には、室内熱交換器２０が凝縮器として機能して、通過する空気を加熱する。加熱された空気は、冷房運転時と同様に、袋部４０ａ内の圧力発生空間ＰＳへと送られる。そして、加熱された空気が、袋部４０ａの繊維の隙間から押し出され、室内Ｒへと穏やかに吹き出される。また、袋部４０ａが加熱された空気と接触することによって、袋部４０ａが加熱される。そして、袋部４０ａによる熱輻射が生じる。
【００４２】
これらの穏やかな空気の吹出しや輻射による暖気は、袋部４０ａの直下に位置する寝具Ｂに到達し、寝具Ｂの周辺の暖房が行われる。このように、この空気調和システムＳ１では、袋部４０ａの繊維の隙間からの穏やかな吹出しと、袋部４０ａの熱輻射とによって、室内Ｒの暖房が行われる。
［特徴］
（１）
この空気調和システムＳ１では、上記のように、室内機２ａから天井面ＣＬ近傍の輻射パネル４ａへと送られた空気が室内Ｒから吹き出され、室内Ｒを循環して室内機２ａへと戻り、再び輻射パネル４ａから吹き出される。このため、この空気調和システムＳ１では、室内Ｒを循環する空気のサーキュレーションを確保することができる。
【００４３】
（２）
この空気調和システムＳ１では、室内機２ａの吹出し口２５ａが吸込み口２４ａよりも上方に設けられている。吹出し口２５ａは天井面ＣＬ近傍に設けられた輻射パネル４ａに接続されるが、この室内機２ａでは、吹出し口２５ａが上方に設けられているために、天井面ＣＬ近傍に設けられた輻射パネル４ａへの室内機２ａの接続が容易である。
【００４４】
特に、室内機２ａの上方のスペースが限られている場合であっても室内機２ａと輻射パネル４ａとの接続が容易であり、室内機２ａの設置が容易である。また、吹出し口２５ａの下方に吸込み口２４ａが設けられているため、室内機２ａは、上方の空間と比べてスペースに余裕のある下方の空間から、十分に空気を吸込むことができる。
＜第２実施形態＞
［構成］
上記の第１実施形態では、室内機２ａは、室内Ｒの側方に設けられた搬送経路ＳＰ１に配置されているが、図１０に示す空気調和システムＳ２のように、室内機２ｂが室内Ｒの床面Ｆに配置されてもよい。室内機２ｂでは、吸込み口２４ｂが室内機ケーシング２３ｂの側面に設けられており、室内の床面Ｆ近傍から空気を吸込む。室内機２ｂに吸込まれた空気は、吹出し口２５ｂから吹き出され、吹出し口２５ｂと輻射パネル４ａの空気取入れ口４８とを繋ぐダクト９１を通って輻射パネル４ａへと送られる。
【００４５】
他の構成については第１実施形態にかかる空気調和システムＳ１と同様である。
［特徴］
この空気調和システムＳ２によれば、天井面ＣＬ近傍から吹き出された空気を室内機２ｂが床面Ｆ近傍から吸込んで再び天井面ＣＬ近傍から吹き出させることができる。このため、この空気調和システムＳ２によれば、より良好なサーキュレーションを確保することができ、より効果的な温度調整を行うことができる。
【００４６】
＜第３実施形態＞
［構成］
上記の第１実施形態では、室内機２ａは、室内Ｒの側方に設けられた搬送経路ＳＰ１の上部に配置されているが、図１１に示す空気調和システムＳ３ように、室内Ｒの天井面ＣＬ近傍に設けられた室内機収容部ＳＰ２に室内機２ｃが収容されてもよい。この室内機収容部ＳＰ２は、室内機２ｃを覆うように天井面ＣＬから室内Ｒへと張り出しており、室内Ｒの側壁の上部に隣接して設けられている。室内機２ｃは、第１実施形態にかかる室内機２ａと同様の構成であり、吸込み口２４ｃと吹出し口２５ｃとを有する。
【００４７】
他の構成については第１実施形態にかかる空気調和システムＳ１と同様である。
［特徴］
このような空気調和システムＳ３によっても、第１実施形態と同様に室内機２ｃの設置が容易である。特に、室内機収容部ＳＰ２を比較的小さく形成することができるので、室内への設置工事が容易であり、室内Ｒの空間をより多く居住空間として利用することができる。また、室内Ｒ全体のインテリア性に対して悪影響を与える恐れも少ない。
【００４８】
また、室内機収容部ＳＰ２の下部から室内機収容部ＳＰ２内へと空気を吸込むことによって、室内Ｒの良好なサーキュレーションを確保することができる。
＜第４実施形態＞
［構成］
上記の第１実施形態では、室内機２ａは、室内Ｒの側方に設けられた搬送経路ＳＰ１に配置されているが、図１２に示す空気調和システムＳ４のように、室内機２ｄが室外に設けられてもよい。室内機２ｄは室外の空気を吸い込んで輻射パネル４ａへと送る。室内機２ｄは、第１実施形態にかかる室内機２ａと同様の構成であり、吸込み口２４ｄと吹出し口２５ｄとを有する。
【００４９】
他の構成については第１実施形態にかかる空気調和システムＳ４と同様である。
［特徴］
このような空気調和システムＳ４によっても、第１実施形態にかかる空気調和システムＳと同様に、室内機２ｄの設置が容易である。すなわち、吹出し口２５ｄが上方に設けられているため、輻射パネル４ａから伸びるダクト９２と吹出し口２５ｄとの接続が容易である。このため、室内機２ｄの設置が容易である。
【００５０】
また、室内Ｒの壁面に吸込み口を設けて、室内機２ｄの吸込み口２４ｄとダクト等を介して接続してもよい。これにより、温度調整された空気が、室内Ｒの天井面ＣＬ近傍から吹き出され、壁面の吸込み口から吸い込まれ、再び室内Ｒへと送られる。これにより、良好なサーキュレーションを確保することができる。
＜第５実施形態＞
［構成］
第１実施形態では、室内機２ａは、室内Ｒの側方に設けられた搬送経路ＳＰ１に配置されているが、図１３に示す空気調和システムＳ５のように、室内機２ｅが天井裏に収容されてもよい。室内機２ｅは下面に設けられた吸込み口２４ｅから室内Ｒの空気を吸い込み、吹出し口２５ｅから略水平方向へと温度調整された空気を吹き出す。吹出し口２５ｅから吹き出された空気は、ダクト９３を通って輻射パネル４ａへと送られる。
【００５１】
［特徴］
このような空気調和システムＳ５においても、第１実施形態にかかる空気調和システムＳ１と同様に、室内Ｒにおいて空気のサーキュレーションを確保する効果が得られる。
また、室内機２ｅが天井裏に設けられるため、室内Ｒの居住者等の視野から室内機２ｅを隠すことができる。これにより、室内Ｒの美観を向上させることができる。
【００５２】
＜他の実施形態＞
（１）
上記の実施形態では、袋部４０ａが繊維系材料によって形成されているが、所定の輻射率を有し空気が透過可能な他の材料が使用されてもよい。例えば、多孔質性の樹脂フィルムなどが使用されもよい。
【００５３】
（２）
袋部４０ａを形成する材料は必ずしも１種類である必要はなく、複数の異なる伸縮性を有する材料で袋部４０ａを形成してもよい。例えば、袋部４０ａの下面の中央部分は比較的伸縮性の低い材料で形成し、袋部４０ａの下面の周辺部分は比較的伸縮性の高い材料で形成することが考えられる。この場合、圧力発生空間ＰＳに空気が送られると、静圧によって袋部４０ａが膨らむ程度が部分によって異なる。従って、複数の異なる伸縮性を有する材料で袋部４０ａを形成することによって、膨らんだ状態の袋部４０ａを所望の形状にすることができる。
【００５４】
（３）
上記の第１実施形態にかかる空気調和システムＳ１において、輻射パネル４ａの周囲や外部フレーム５ａの周囲を覆い下方へと伸びるカーテンがさらに備えられてもよい。このカーテンは、空気の吹出しや輻射を下方の特定空間へと集中させたり、他の空間への影響を和らげたりするものであり、例えば繊維系材料などで形成されたカーテンやエアカーテンなどである。
【００５５】
このようなカーテンが設けられることによって、特定空間の温度調整をより効果的に行うことができる。例えば、輻射パネル４ａから寝具Ｂまで延び寝具Ｂの周囲を覆うようにカーテンが設けられることによって、寝具Ｂの周辺を集中的に温度調整することができ、より効果的な温度調整が可能となる。
（４）
輻射パネル４ａの大きさは、寝具Ｂと略同じ大きさや、寝具Ｂより若干小さい大きさや、寝具Ｂよりも大きく天井面ＣＬの広範囲を覆う大きさなどであってもよい。
【００５６】
（５）
外部フレーム５ａなどに輻射温度センサーを設け、室内機に吸込み温度センサーを設けて、制御部（図示せず）による室内の温度制御を行ってもよい。輻射温度センサーは、対象となる人や寝具等の輻射温度を測定する。吸込み温度センサーは、室内機に吸込まれる空気の温度を測定することによって、室内Ｒの温度を測定する。制御部は、輻射温度と吸込み温度とに基づいて、吹出される空気の温度や風量などを制御する。これにより、より適切な室内Ｒの温度制御が可能である。
【００５７】
また、上記の輻射温度センサーの向きを変更可能な構造としてもよい。これにより、輻射パネル４ａのうち輻射温度の測定が必要な部分の輻射温度の測定が可能となり、より適切な室内Ｒの温度制御が可能である。
さらに、輻射温度センサーが人検知センサーを兼ねてもよい。輻射温度センサーによって室内Ｒへの人の出入りを検知することによって、人の出入りにあわせて空気調和機１００のオン・オフを自動的に行う制御を行うことができる。
【００５８】
（６）
上記の第１実施形態にかかる空気調和システムＳ１では、袋部４０ａに断熱材４２が固定されているが、内部フレーム４１ａに断熱材４２が固定されてもよい。また、外部フレーム５ａに断熱材４２が固定されてもよい。このような構成によっても、上記と同様に天井面ＣＬでの結露の発生を抑えることができる。
【００５９】
（７）
上記の第１実施形態にかかる空気調和システムＳ１では、室内Ｒの空気を室内機ケーシング２３ａに取り込んで輻射パネル構造体１ａへと送っているが、室外から取り込んだ空気を輻射パネル構造体１ａへと送ってもよい。また、室内機２ａと室外機３とが一体となった送風装置が用いられてもよい。
【００６０】
（８）
上記の第１実施形態にかかる空気調和システムＳ１では、輻射パネル４ａは平面視において長方形の形状を有しているが、他の形状を有するものでもよい。例えば、正方形や６角形のなどの他の多角形や円形のものであってもよい。
（９）
上記の実施形態では、輻射パネル４ａと室内機２ａとは、ダクト９を介して接続されているが、輻射パネル４ａが室内機２ａに固定されており、輻射パネル４ａと室内機２ａとが一体とされていてもよい。
【産業上の利用可能性】
【００６１】
本発明は、室内の空気のサーキュレーションを確保して適切な温度調整を行うことができる効果を有し、空気調和機および空気調和システムとして有用である。
【図面の簡単な説明】
【００６２】
【図１】第１実施形態にかかる空気調和システムの側面図。
【図２】図１におけるII−II断面図。
【図３】（ａ）輻射パネルの平面図。  （ｂ）輻射パネルの側面図。
【図４】輻射パネルの側面断面図。
【図５】（ａ）内部フレームの平面図。（ｂ）内部フレームの側面図。
【図６】図５（ｂ）におけるVI−VI断面図。
【図７】図２におけるVII−VII断面図。
【図８】室内機と室外機との冷媒回路図。
【図９】空気調和機による温度調整を示す模式図。
【図１０】第２実施形態にかかる空気調和システムを示す図。
【図１１】第３実施形態にかかる空気調和システムを示す図。
【図１２】第４実施形態にかかる空気調和システムを示す図。
【図１３】第５実施形態にかかる空気調和システムを示す図。
【符号の説明】
【００６３】
２ａ−２ｅ        室内機（送風装置）
４ａ              輻射パネル
２４ａ−２４ｅ    吸込み口
２５ａ−２５ｅ    吹出し口
１００            空気調和機
ＣＬ              天井面
ＰＳ              圧力発生空間（内部空間）
Ｒ                室内
Ｓ１−Ｓ５        空気調和システム
ＳＰ１            搬送経路
【図１】
2005140384.tif 000003
【図２】
2005140384.tif 000004
【図３】
2005140384.tif 000005
【図４】
2005140384.tif 000006
【図５】
2005140384.tif 000007
【図６】
2005140384.tif 000008
【図７】
2005140384.tif 000009
【図８】
2005140384.tif 000010
【図９】
2005140384.tif 000011
【図１０】
2005140384.tif 000012
【図１１】
2005140384.tif 000013
【図１２】
2005140384.tif 000014
【図１３】
2005140384.tif 000015